(57)【要約】【課題】圃場やハウス等において、各種環境センサと各種制御機器からなる農用機器を制御するための制御技術に関し、ユーザが栽培する植物の生育における生長の状態を農用機器の制御と関連付けて管理可能とする。【解決手段】個別監視データ記憶部２１０及び共有監視データ記憶部２１２は、個別のユーザ及び共有されるユーザによる植物の生育における、環境の状態を監視するセンサからの出力に対応する個別／共有センサ監視データと、生長の状態を監視する個別／共有生長状態監視データとを記憶する。判定シート生成部２０６は、所定の期間単位で、個別センサ監視データと共有センサ監視データ、及び個別生育状態データと共有生育状態データを比較表示するための表データである判定シートを生成し、端末装置に表示させる。【選択図】図２
2017163955.tif 000002
【特許請求の範囲】
【請求項１】
個別のユーザによる植物の生育における、環境の状態を監視するセンサからの出力に対応する個別センサ監視データと、生長の状態を監視する個別生長状態監視データとを記憶する個別監視データ記憶部と、
前記個別のユーザによる植物の生育における環境の状態を操作する制御機器をシーケンス制御するためのデータである個別制御機器シーケンスを記憶する個別制御機器シーケンス記憶部と、
前記個別のユーザのうち共有されるユーザに対応する前記個別センサ監視データと前記個別生長状態監視データとをそれぞれ共有センサ監視データと共有生長状態監視データとして記憶する共有監視データ記憶部と、
前記個別のユーザのうち前記共有されるユーザに対応する前記個別制御機器シーケンスを共有制御機器シーケンスとして記憶する共有制御機器シーケンス記憶部と、
所定の期間単位で、前記個別センサ監視データと前記共有センサ監視データ、及び前記個別生育状態データと前記共有生育状態データを比較表示するための表データである判定シートを生成し、前記個別のユーザが操作する端末装置に表示させる判定シート生成部と、
を備える生育管理装置。
【請求項２】
前記個別のユーザによる植物の生育における前記生長の状態を記録するデータを前記ユーザが操作する端末装置から受信し、当該データに基づいて前記個別生長状態監視データを生成して前記個別監視データ記憶部に登録する生長状態監視データ生成部を、更に備える請求項１に記載の生育管理装置。
【請求項３】
前記個別のユーザによる植物の生育の結果得られる収穫及び収益に関するデータである収穫／収益データを外部の選果機システムから受信して、前記個別生長状態監視データの一部として前記個別監視データ記憶部に登録する収穫／収益データ受信部を、更に備える請求項１又は２の何れか記載の生育管理装置。
【請求項４】
前記共有されるユーザは、前記個別のユーザのうち、植物の生育の成績が良いマイスターユーザである、請求項１乃至３の何れか記載の生育管理装置。
【請求項５】
個別のユーザによる植物の生育における、環境の状態を監視するセンサからの出力を受信して得た個別センサ監視データと、前記個別のユーザが操作する端末装置での生長の状態の記録に基づいて生成した当該生長の状態を監視する個別生長状態監視データとを個別監視データ記憶部に記憶し、
前記個別のユーザによる植物の生育における環境の状態を操作する制御機器をシーケンス制御するためのデータである個別制御機器シーケンスを個別制御機器シーケンス記憶部に記憶し、
前記個別のユーザのうち共有されるユーザに対応する前記個別センサ監視データと前記個別生長状態監視データとをそれぞれ共有センサ監視データと共有生長状態監視データとして共有監視データ記憶部に記憶し、
前記個別のユーザのうち前記共有されるユーザに対応する前記個別制御機器シーケンスを共有制御機器シーケンスとして共有制御機器シーケンス記憶部に記憶し、
所定の期間単位で、前記個別センサ監視データと前記共有センサ監視データ、及び前記個別生育状態データと前記共有生育状態データを比較表示するための表データである判定シートを生成し、前記個別のユーザが操作する端末装置に表示させる、生育管理方法。
【請求項６】
個別のユーザによる植物の生育における、環境の状態を監視するセンサからの出力を受信して得た個別センサ監視データと、前記個別のユーザが操作する端末装置での生長の状態の記録に基づいて生成した当該生長の状態を監視する個別生長状態監視データとを個別監視データ記憶部に記憶するステップと、
前記個別のユーザによる植物の生育における環境の状態を操作する制御機器をシーケンス制御するためのデータである個別制御機器シーケンスを個別制御機器シーケンス記憶部に記憶するステップと、
前記個別のユーザのうち共有されるユーザに対応する前記個別センサ監視データと前記個別生長状態監視データとをそれぞれ共有センサ監視データと共有生長状態監視データとして共有監視データ記憶部に記憶するステップと、
前記個別のユーザのうち前記共有されるユーザに対応する前記個別制御機器シーケンスを共有制御機器シーケンスとして共有制御機器シーケンス記憶部に記憶するステップと、
所定の期間単位で、前記個別センサ監視データと前記共有センサ監視データ、及び前記個別生育状態データと前記共有生育状態データを比較表示するための表データである判定シートを生成し、前記個別のユーザが操作する端末装置に表示させるステップと、
をコンピュータに実行させるためのプログラム。
【発明の詳細な説明】
【技術分野】
【０００１】
本発明は、圃場やハウス等において、各種環境センサと、換気窓制御、カーテン制御、循環扇制御、暖房制御等の各種制御機器からなる農用機器を制御しながら植物の生育を管理するための装置、方法、及びプログラムに関する。
【背景技術】
【０００２】
圃場やハウス等における植物の生育を管理する生育管理装置として、従来、次のようなものが知られている（例えば特許文献１）。農業生産情報を管理する農家情報管理システムにおける農家データベース及び農家サーバ、及び、データセンタにおいて農業生産情報を管理するセンタ情報管理システムにおけるセンタデータベース及びセンタサーバを備えるシステムである。そして、このシステムでは、農家において取得された農業生産情報が農家データベースに蓄えられ、農家サーバを介してセンタデータベースに蓄積され、任意の端末装置がセンタサーバにアクセスすることにより、センタデータベースにおいて農業生産情報の収集、蓄積、更新、データ処理が可能となるように、各データベース及び各サーバが設置される。
【０００３】
また、植物を効果的に育成するための植物育成システムや情報提供サービスとして、従来、次のようなものが知られている（例えば特許文献２）。それぞれが環境検出手段、環境操作手段、それらを制御する育成制御手段、及び通信手段を備える複数の植物育成装置から、環境検出手段及び育成制御手段を介して情報が受信されて、植物育成システムのデータベースに蓄積され、あるいは、ユーザの端末装置に配信される。また、蓄積した情報又は受信した情報をもとに配信情報が生成されてその配信情報によって、あるいはユーザの端末装置からの遠隔操作によって、各植物育成装置の育成制御手段を介して環境操作手段が制御される。
【０００４】
一方、施設園芸で栽培される農作物の環境条件を最適にするため、農作物の成長に伴う変化の情報を容易に取得するための従来技術として、次のようなものが知られている（例えば特許文献３）。育成空間内で栽培されている観察対象植物の一部を画像情報として情報処理部に取得し、あらかじめ観察対象植物に直接取り付けられた基点標識から測定目標までの成長長さを情報処理部によって取得することで、農作物の成長と環境条件との因果関係を把握することができ、農作物から収穫される成果物の品質向上、収量増加を図ることができるものである。
【０００５】
更に従来、テープメジャーを用いて１週間に一度、茎の伸張量、茎径、葉面積指標、及び葉数についての生育調査を利用者自身が行い、そのデータが書き込まれた記録用紙を写真撮影してメール送信することにより、２４時間以内に「樹勢の見える化と統計解析結果」を返送するサービスが知られている（例えば非特許文献１）。
【先行技術文献】
【特許文献】
【０００６】
【特許文献１】特開２００５−３８０１９号公報
【特許文献２】特開２００４−２９８０６９号公報
【特許文献３】特開２０１５−２０２０５６号公報
【特許文献４】特開２０１５−０７２５０６号公報
【非特許文献】
【０００７】
【非特許文献１】”週イチ生育調査データの有効活用支援”、［ｏｎｌｉｎｅ］、ＰＬＡＮＴ  ＤＡＴＡ  ＪＡＰＡＮ株式会社、［ 平成２８年２月２５日検索］、インターネット＜ＵＲＬ：ｈｔｔｐ：／／ｐｌａｎｔｄａｔａｊａｐａｎ．ｃｏｍ／？ｍｏｄｅ＝ｆ１６＞
【発明の概要】
【発明が解決しようとする課題】
【０００８】
しかしながら、上述の従来技術では、センサ出力情報等に基づいて、又はユーザによる端末装置からの指示に基づいて、あるいは事業者側での分析結果に基づいて、農作物や植物の育成環境を制御機器を介して制御するという記載はあっても、具体的にどのようにして制御を行うのかが開示されていなかった。従って、例えば優れた農業従事者による成績の良い育成や模範となる育成を具体的な制御機器の制御に結びつけることが困難であるという課題があった。
【０００９】
特に、圃場やハウス等において、各種環境センサと各種制御機器からなる農用機器を制御するだけでは、植物（以下、農作物を含む）の生育を最適に管理することはできず、農用機器の制御と植物の生育の状態との関連性を判断しながら、農用機器の次の制御を行うことが重要である。しかし、従来技術では、テープメジャー等を用いて植物の生育の状態を調査することはできても、その記録をメールで送信するだけであり、植物の生育の状態を示す情報を利用して農用機器を制御するためには、「樹勢の見える化と統計解析結果」のサービスを事業者から受けなければならず、非常に手間がかかってしまうという課題があった。
【００１０】
本出願人は、特許文献４の特許出願により、優れた農業従事者（マイスター）による成績の良い又は模範となる植物の生育におけるセンサ出力情報や制御機器のシーケンス制御情報を、共有センサメッセージ及び共有制御機器シーケンスメッセージとして複数のユーザ間で共有する技術を開示した。これにより、ユーザ自身による植物の生育における環境の状態をマイスターユーザ等による植物の生育における環境の状態と容易に比較することを可能にし、また、マイスターユーザ等による植物の生育における制御機器のシーケンス制御の事例をユーザ自身による植物の生育における制御機器のシーケンス制御へ容易に取り込むことを可能とした。
【００１１】
本発明は、ユーザが栽培する植物の生育における生長の状態を農用機器の制御と関連付けて管理可能とすることを目的とする。更に好ましくは、他の育成環境における農用機器の制御の状態に加えてその育成環境で栽培される植物の生育における生長の状態も共有情報とすることにより、ユーザ自身の育成環境と他の育成環境との更に精度のよい比較と、他の育成環境での制御事例のユーザ自身の制御機器の制御への最適な取込みを可能とすることを目的とする。
【課題を解決するための手段】
【００１２】
態様の一例では、個別のユーザによる植物の生育における、環境の状態を監視するセンサからの出力に対応する個別センサ監視データと、生長の状態を監視する個別生長状態監視データとを記憶する個別監視データ記憶部と、個別のユーザによる植物の生育における環境の状態を操作する制御機器をシーケンス制御するためのデータである個別制御機器シーケンスを記憶する個別制御機器シーケンス記憶部と、個別のユーザのうち共有されるユーザに対応する個別センサ監視データと個別生長状態監視データとをそれぞれ共有センサ監視データと共有生長状態監視データとして記憶する共有監視データ記憶部と、個別のユーザのうち共有されるユーザに対応する個別制御機器シーケンスを共有制御機器シーケンスとして記憶する共有制御機器シーケンス記憶部と、所定の期間単位で、個別センサ監視データと共有センサ監視データ、及び個別生育状態データと共有生育状態データを比較表示するための表データである判定シートを生成し、個別のユーザが操作する端末装置に表示させる判定シート生成部と、を備える。
【発明の効果】
【００１３】
本発明の一態様によれば、ユーザが栽培する植物の生育における生長の状態を農用機器の制御と関連付けて管理することが可能となる。また、他の育成環境における農用機器の制御の状態に加えてその育成環境で栽培される植物の生育における生長の状態も共有情報とすることにより、ユーザ自身の育成環境と他の育成環境との更に精度のよい比較と、他の育成環境での制御事例のユーザ自身の制御機器の制御への最適な取込みが可能となる。
【図面の簡単な説明】
【００１４】
【図１】本発明による生育管理システムの実施形態の全体構成図である。
【図２】データセンタの構成例を示すブロック図である。
【図３】端末装置が実行するソフトウェアの機能構成を示すブロック図である。
【図４】センサ監視データのデータ構成例を示す図（その１）である。
【図５】センサ監視データのデータ構成例を示す図（その２）である。
【図６】センサ監視データのデータ構成例を示す図（その３）である。
【図７】生長状態監視データのデータ構成例を示す図である。
【図８】判定シート生成処理の例を示すフローチャートである。
【図９】日単位判定データ作成処理の詳細例を示す図である。
【図１０】日単位判定データの例を示す図である。
【図１１】週単位判定データ作成処理の詳細例を示す図である。
【図１２】週単位判定データの例を示す図である。
【図１３】月単位判定データ作成処理の詳細例を示す図である。
【図１４】月単位判定データの例を示す図である。
【図１５】シーズン単位判定データ作成処理の詳細例を示す図である。
【図１６】シーズン単位判定データ例を示す図である。
【図１７】判定シートの表示例を示す図である。
【図１８】判定シートの表示例における全体比較グラフ及びセンサ比較グラフの詳細例を示す図である。
【図１９】判定シートの表示例における生長実績、収穫実績、潅水実績、及び判定の詳細例を示す図である。
【図２０】本実施形態のシステムを実現可能なハードウェアシステムの構成図である。
【発明を実施するための形態】
【００１５】
以下、本発明を実施するための形態について図面を参照しながら詳細に説明する。
図１は、本発明による生育管理システムの実施形態の全体構成図である。
圃場であるハウス１０３には、その室内の温度、湿度、照度、積算日射量、又は炭酸ガス濃度などの各種モニタリングを行う環境センサ１０６が設置される。
【００１６】
また、ハウス１０３には、制御機器１０８の一部である温風暖房機であるハウスカオンキ１０７や、窓開閉装置、カーテン制御装置、照明制御装置、又は空調制御装置等のその他の制御機器１０８が必要に応じて設置される。
【００１７】
更に、ハウス１０３には、ハウスカオンキ１０７における暖房温度のセンサ出力や、環境センサ１０６からのハウス１０３内の温度、湿度、照度、積算日射量、又は炭酸ガス濃度などの各種センサ出力を集約するセンサ制御装置１０４が設置される。
【００１８】
加えて、ハウス１０３には、ハウスカオンキ１０７や、窓開閉装置、カーテン制御装置、照明制御装置、又は空調制御装置等からなる各制御機器１０８を制御するための制御盤装置１０５が設置される。
【００１９】
センサ制御装置１０４及び制御盤装置１０５は、携帯電話回線１１３を介して、データセンタ１００と通信する。
例えば農家である個別のユーザは、端末装置１０９からインターネット１１４を介して、データセンタ１００と通信する。端末装置１０９は、いわゆるタブレット端末が好適であるが、いわゆるスマートフォン端末やパーソナルコンピュータであってもよい。個別のユーザは、端末装置１０９に表示される「生長状態記録」「ハウスカオンキ」「環境センサ」「判定シート」「制御機器シーケンサ」などの機能起動用のボタンにタッチ操作することにより、後述する各機能を利用することができる。タブレット端末に内蔵されているカメラ１１０又はマイク１１１は、「生長状態記録」の機能が選択されたときに、矢印１１２で示されるように育生している植物の生長の状態を記録するために使用される。
【００２０】
データセンタ１００は、センタサーバ１０１とセンタデータベース１０２から構成される。
データセンタ１００は、インターネット又は専用線ネットワーク１１５を介して、例えばＪＡ（農業協同組合）等が管理する選果機システム１２０と接続される。
【００２１】
図２は、図１のデータセンタ１００の構成例を示すブロック図である。
データセンタ１００のセンタサーバ１０１は、センサ監視データ受信部２０１、制御機器シーケンス送信部２０２、インターネット通信部２０３、生長状態監視データ生成部２０４、収穫／収益データ受信部２０５、判定シート生成部２０６、制御機器シーケンス移入部２０７、制御機器シーケンスダウンロード部２０８、及び制御機器シーケンスアップロード部２０９を備える。
【００２２】
データセンタ１００のセンタデータベース１０２は、個別監視データ記憶部２１０、個別制御機器シーケンス記憶部２１１、共有監視データ記憶部２１２、及び共有制御機器シーケンス記憶部２１３を備える。
【００２３】
センタデータベース１０２内の個別監視データ記憶部２１０は、例えば農家である個別のユーザによる植物の生育における環境の状態を検出する図１の環境センサ１０６やハウスカオンキ１０７からのセンサ出力に対応する個別センサ監視データを記憶する。また、個別監視データ記憶部２１０は、個別のユーザによる植物の生育における生長の状態を監視する個別生長状態監視データを記憶する。
【００２４】
センタデータベース１０２内の個別制御機器シーケンス記憶部２１１は、個別のユーザによる植物の生育における環境の状態を操作する図１の制御機器１０８（ハウスカオンキ１０７を含む）をシーケンス制御するデータである個別制御機器シーケンスを記憶する。
【００２５】
センタデータベース１０２内の共有監視データ記憶部２１２は、個別のユーザのうち共有されるユーザに対応する個別センサ監視データと個別生長状態監視データとをそれぞれ、共有センサ監視データと共有生長状態監視データとして記憶する。
【００２６】
センタデータベース１０２内の共有制御機器シーケンス記憶部２１３は、個別のユーザのうち共有されるユーザに対応する個別制御機器シーケンスを、共有制御機器シーケンスとして記憶する。
【００２７】
ここで、共有されるユーザは、個別のユーザのうち、植物の生育の成績が良いマイスターユーザである。
次に、センタサーバ１０１内のセンサ監視データ受信部２０１は、図１のセンサ制御装置１０４から、それに接続される環境センサ１０６やハウスカオンキ１０７のセンサ出力に対応する個別センサ監視データを受信し、個別監視データ記憶部２１０に記憶させる。個別センサ監視データは例えば、規格化された個別センサメッセージである。
【００２８】
センタサーバ１０１内の生長状態監視データ生成部２０４は、個別のユーザによる植物の生育における生長の状態を記録するデータを、ユーザが操作する図１の端末装置１０９から受信し、そのデータに基づいて個別生長状態監視データを生成して、個別監視データ記憶部２１０に登録する。
【００２９】
センタサーバ１０１内の収穫／収益データ受信部２０５は、個別のユーザによる植物の生育の結果得られる収穫及び収益に関するデータである収穫／収益データを、図１に示される外部の例えばＪＡ（農業協同組合）が管理する選果機システム１２０から受信して、個別生長状態監視データの一部として個別監視データ記憶部２１０に登録する。
【００３０】
センタサーバ１０１内の判定シート生成部２０６は、所定の期間単位（例えば、日単位、週単位、月単位、又はシーズン単位）で、その個別のユーザに対応する個別センサ監視データと個別制御機器シーケンス、所定の共有されるユーザに対応する共有センサ監視データと共有制御機器シーケンスをそれぞれ、個別監視データ記憶部２１０、個別制御機器シーケンス記憶部２１１、共有監視データ記憶部２１２、及び共有制御機器シーケンス記憶部２１３から読み出す。次に、判定シート生成部２０６は、上記所定の期間単位で、個別センサ監視データと共有センサ監視データ、及び個別生育状態データと共有生育状態データを比較表示するための表データである判定シートを生成する。そして、判定シート生成部２０６は、例えば個別のユーザが図１の端末装置１０９に表示されている「判定シート」ボタンにタッチしたタイミングで、その判定シートを端末装置１０９に出力する。ここで、判定シート生成部２０６が、個別のユーザごとに判定シートを生成するタイミングは、判定シート生成部２０６自身がスケジュールした独自のタイミングであってもよいし、例えば個別のユーザが図１の端末装置１０９に表示されている「判定シート」ボタンにタッチしたタイミングであってもよい。
【００３１】
センタサーバ１０１内の制御機器シーケンスダウンロード部２０８は、例えば個別のユーザが図１の端末装置１０９に表示されている「制御機器シーケンサ」ボタンにタッチしたタイミングで、その個別のユーザに対応する個別制御機器シーケンスを個別制御機器シーケンス記憶部２１１から読み出して、インターネット通信部２０３を介して、端末装置１０９にダウンロードする。
【００３２】
センタサーバ１０１内の制御機器シーケンスアップロード部２０９は、例えば個別のユーザが図１の端末装置１０９に表示されている「制御機器シーケンサ」ボタンにタッチした後に制御機器シーケンスの編集を完了したタイミングで、その個別のユーザに対応する個別制御機器シーケンスを端末装置１０９からアップロードして、個別制御機器シーケンス記憶部２１１に記憶させる。
【００３３】
センタサーバ１０１内の制御機器シーケンス移入部２０７は、例えば個別のユーザが図１の端末装置１０９に表示されている「制御機器シーケンサ」ボタンにタッチした後に更に特には図示しない移入ボタンにタッチしたタイミングで、例えば個別のユーザが指定した共有されるユーザに対応する個別のユーザが指定した参照範囲の共有制御機器シーケンスを、共有制御機器シーケンス記憶部２１３から読み出して、上記個別のユーザの個別制御機器シーケンスとして移入し、個別制御機器シーケンス記憶部２１１に記憶させる。このとき、移入した個別制御機器シーケンスを、制御機器シーケンスダウンロード部２０８を介して端末装置１０９にダウンロードするようにしてもよい。
【００３４】
センタサーバ１０１内の制御機器シーケンス送信部２０２は、例えば個別のユーザが図１の端末装置１０９に表示されている「制御機器シーケンサ」ボタンにタッチした後に制御機器シーケンスの編集を完了して前述のアップロードが完了したタイミングで、上記個別のユーザに対応する個別制御機器シーケンスを個別制御機器シーケンス記憶部２１１から読み出して、図１の制御盤装置１０５に送信する。
【００３５】
センタサーバ１０１内のインターネット通信部２０３は、図１の端末装置１０９からのユーザログインや、図１のインターネット１１４を介した端末装置１０９との間の通信を制御する。
【００３６】
図２において、生長状態監視データ生成部２０４、収穫／収益データ受信部２０５、及び判定シート生成部２０６以外の各機能と、図１に例示したセンサ制御装置１０４及び制御盤装置１０５の機能は、本出願人が開示した前述した特許文献４の特許出願に記載の技術を用いて実現することができるためそれらの説明は省略するものとし、これらの機能に関する特許文献４の全ての開示内容は参照によって本願に組み込まれるものとする。
【００３７】
図３は、図１の端末装置１０９が実行するソフトウェアの機能構成を示すブロック図である。
図３において、生長状態記録部３０１は、図１に例示される端末装置１０９を操作する個別のユーザが、図１の端末装置１０９に表示されている「生長状態記録」ボタンにタッチすると起動され、図２のデータセンタ１００のセンタデータベース１０２内の個別監視データ記憶部２１０にアクセスすることにより、上記個別のユーザに対応する個別生長状態監視データ（後述する図７を参照）の入力フォームを端末装置１０９のディスプレイに表示する。個別のユーザは、端末装置１０９に表示された入力フォームを使って、ディスプレイ上のタッチパネルから、自身が栽培する植物の生長の状態を入力する。
【００３８】
図３において、ハウスカオンキ情報表示部３０２は、図１に例示される端末装置１０９を操作する個別のユーザが、図１の端末装置１０９に表示されている「ハウスカオンキ」ボタンにタッチすると起動され、図２のデータセンタ１００のセンタデータベース１０２内の個別監視データ記憶部２１０にアクセスすることにより、上記個別のユーザに対応する図１のハウスカオンキ１０７のセンサ出力の情報をグラフ表示する。
【００３９】
環境センサ情報表示部３０３は、端末装置１０９を操作する個別のユーザが、図１の端末装置１０９に表示されている「環境センサ」ボタンにタッチすると起動され、図２のデータセンタ１００のセンタデータベース１０２内の個別監視データ記憶部２１０にアクセスすることにより、上記個別のユーザに対応する図１の環境センサ１０６の各センサ出力の情報をグラフ表示する。
【００４０】
判定シート表示部３０４は、端末装置１０９を操作する個別のユーザが、図１の端末装置１０９に表示されている「判定シート」ボタンにタッチすると起動され、図２のデータセンタ１００のセンタサーバ１０１内の判定シート生成部２０６に要求を出力することにより、判定シート生成部２０６が生成した判定シートをダウンロードし、端末装置１０９の画面に表示する。
【００４１】
制御機器シーケンス移入指示部３０５は、端末装置１０９を操作する個別のユーザが、図１の端末装置１０９に表示されている「制御機器シーケンス移入」ボタンにタッチすると起動され、図２のデータセンタ１００のセンタサーバ１０１内の制御機器シーケンス移入部２０７に対して、個別のユーザが選択した共有されるユーザに対応する共有制御機器シーケンスを個別のユーザの個別制御機器シーケンスとして移入させる。
【００４２】
制御機器シーケンス編集部３０６は、端末装置１０９を操作する個別のユーザが、図１の端末装置１０９に表示されている「制御機器シーケンス編集」ボタンにタッチすると起動される。
【００４３】
そしてまず、制御機器シーケンス編集部３０６の起動時に、図２のデータセンタ１００のセンタサーバ１０１内の制御機器シーケンスダウンロード部２０８にアクセスして、上記個別のユーザに対応する個別制御機器シーケンスをデータセンタ１００から端末装置１０９にダウンロードさせる。
【００４４】
その後、上記個別のユーザは、端末装置１０９上の制御機器シーケンスの編集画面を操作しながら、制御機器シーケンスを編集する。
上記個別のユーザが制御機器シーケンスの編集を完了し制御機器シーケンス編集部３０６に対して制御機器シーケンスの終了を指示すると、制御機器シーケンス編集部３０６は、図２のデータセンタ１００のセンタサーバ１０１内の制御機器シーケンスアップロード部２０９にアクセスして、上記個別のユーザに対応する個別制御機器シーケンスを端末装置１０９からデータセンタ１００にアップロードさせる。
【００４５】
図３において、生長状態記録部３０１及び判定シート表示部３０４以外の各機能は、本出願人が開示した前述した特許文献４の特許出願に記載の技術を用いて実現することができるためそれらの説明は省略するものとし、これらの機能に関する特許文献４の全ての開示内容は参照によって本願に組み込まれるものとする。
【００４６】
図３における生長状態記録部３０１のより具体的な動作について、以下に説明する。前述したように、生長状態記録部３０１は、図１に例示される端末１０９を操作する個別のユーザが、図１の端末装置１０９に表示されている「生長状態記録」ボタンにタッチすると起動され、図２のデータセンタ１００のセンタデータベース１０２内の個別監視データ記憶部２１０にアクセスすることにより、上記個別のユーザに対応する個別生長状態監視データ（後述する図７を参照）の入力フォームを端末装置１０９のディスプレイに表示する。
【００４７】
個別のユーザは、端末装置１０９に表示された入力フォームを使って、ディスプレイ上のタッチパネルから、自身が栽培する植物の生長の状態を入力することができる。
また、個別のユーザは、ディスプレイ上の特には図示しない「マイク」ボタンにタッチすることにより、自身が発音した内容の数値や文字を、端末装置１０９が内蔵するマイク１１１（図１参照）で録音し、端末装置１０９に音声認識処理を実行させることにより、ディスプレイ上の入力フォームの任意の入力項目に数値や文字を自動入力することができる。
【００４８】
更に、個別のユーザは、ディスプレイ上の特には図示しない「撮影」ボタンにタッチすることにより、植物の画像を端末装置１０９が内蔵するカメラ１１０（図１参照）で撮像し、その撮像によって得られる画像データを、端末装置１０９から図１のデータセンタ１００内のセンタサーバ１０１に送信することができる。センタサーバ１０１では、インターネット通信部２０３が、端末装置１０９からインターネット１１４（図１参照）を介して上述の画像データを受信し、生長状態監視データ生成部２０４に出力する。ここで例えば、撮像される個別のユーザが育生する植物には基準値となる十字マーカーシールが貼り付けられている。生長状態監視データ生成部２０４は、入力した画像データ上で、この十字マーカーシールの位置を過去の画像データと最新の画像データとで重ね合わせ、画像間の差分を自動的に数値化することにより、植物の伸長量や茎径（後述する図７の項目４０や４１）を自動的に取得することができる。生長状態監視データ生成部２０４は、その取得した数値を、端末装置１０９に表示されている入力フォームの該当する入力項目に反映させる。
【００４９】
以上のような手段を用いることにより、個別のユーザは、自身が育生する植物の生長の状態を、容易に記録することができる。個別のユーザが端末装置１０９上で、特には図示しない記録終了を示すボタンにタッチすると、入力フォームに入力された内容が、センタサーバ１０１に送信される。センタサーバ１０１では、インターネット通信部２０３が、端末装置１０９からインターネット１１４（図１参照）を介して上述の入力フォームのデータを受信し、生長状態監視データ生成部２０４に出力する。生長状態監視データ生成部２０４は、取得した入力フォームのデータに基づいて、個別監視データ記憶部２１０上の、端末装置１０９を操作する個別のユーザに対応する個別生長状態監視データ（後述する図７を参照）の内容を更新する。
【００５０】
図２における収穫／収益データ受信部２０５の動作について、以下に説明する。一般に、個別のユーザが栽培した植物は、ＪＡ（農業協同組合）等に出荷され、そこで選果機により、大きさ、糖度、色が判定されて、Ｓ及びＡ（特急）、Ｂ及びＣ（１級）等のランク付けがされ、ランク毎の収穫量が算出される。例えば、Ｓ又はＡクラスのものは、有名デパートなどで扱ってもらえるが、Ｃクラスだとスーパー等でも扱ってもらえなくて、加工品の原材料になってしまう。さらに、選果機に接続される電算システムにより、出荷時期での市場価格（市況情報）によって、Ｓ、Ａ、Ｂ、Ｃの各ランクの値段が判定され、各ランク毎の収益が算出される。収穫／収益データ受信部２０５は、このようにして選果機システム１２０（図１参照）にて算出されたランク毎の収穫量や収益を、インターネット又は専用線ネットワーク１１５を介して受信し、個別生長状態監視データの一部として個別監視データ記憶部２１０に取り込む。
【００５１】
図４から図７は、図２のセンタデータベース１０２内の個別監視データ記憶部２１０に記憶されるデータ群のデータ構成例を示す図であり、図４から図６はセンサ監視データのデータ構成例を示す図、図７は生長状態監視データのデータ構成例を示す図である。
【００５２】
まず、図４に示されるＮＯ（項目番号）が１から５のセンサ監視データは、外気管理項目であり、図１のハウス１０３に設けられた環境センサ１０６から自動的に取得され、又は図２のセンタサーバ１０１内のセンサ監視データ受信部２０１によって受信された環境センサ１０６の値から演算によって算出される。
【００５３】
図４及び図５に示されるＮＯが６から１１のセンサ監視データは、施設内管理項目であり、図１のハウス１０３に設けられた環境センサ１０６から自動的に取得され、又は図２のセンタサーバ１０１内のセンサ監視データ受信部２０１によって受信された環境センサ１０６の値から演算によって算出される。
【００５４】
次に、図６に示されるＮＯが１２から２７のセンサ監視データは、養液管理項目であり、図１のハウス１０３内に設けられた環境センサ１０６から自動的に取得される。
次に、図７に示されるＮＯが２８から６８の生長状態監視データのうち２８から３９のデータは、前述した図２の収穫／収益データ受信部２０５によって選果機システム１２０（図１参照）から自動的に取得されるデータ群であり、個別のユーザにより育生された植物の収穫や収益を示す項目群である。
【００５５】
また、図７に示されるＮＯが４０から６８の生長状態監視データは、前述した端末装置１０９内の生長状態記録部３０１（図３参照）及びセンタサーバ１０１内の生長状態監視データ生成部２０４（図２参照）によって半自動で生成されるデータ群であり、個別のユーザによる植物の生育における生長の状態を示す項目群である。
【００５６】
以上のように、本実施形態では、個別監視データ記憶部２１０に記憶させる監視データ群として、本出願人が前述した特許文献４で開示した個別センサ監視データ（個別センサメッセージ）に加えて、個別生長状態監視データが管理される。即ち、作物生産の重要要素として、自然環境やハウス１０３内の環境等のセンサ監視データに加えて、総収穫量、積算総収穫量、昨年度・積算総収穫量、平均果重、廃棄量、伸長量、茎径、葉の長さ、葉の枚数、開花花房の高さ、開花段数、着果段数、収穫段数、新規着果数、新規収穫果数、現着果数、栽植密度等の、植物の生育において重要な生長の状態の監視項目が管理される。このとき、本実施形態では、個別センサ監視データについては、本出願人が前述した特許文献４で開示した技術により日単位で自動的に取得することができる。また、個別生長状態監視データについても、前述した端末装置１０９内の生長状態記録部３０１（図３参照）及びセンタサーバ１０１内の生長状態監視データ生成部２０４（図２参照）によって半自動で生成、取得することができる。
【００５７】
個別監視データ記憶部２１０に記憶された個別のユーザに対応するこれらの個別センサ監視データ及び個別生長状態監視データを、共有監視データ記憶部２１２に記憶された共有されるユーザ（「マイスター」と呼ばれるプロ農家や部会グループの中で成績の良い農家などの優れた農業従事者）の個別生長状態監視データと比較することにより、個別のユーザにおける植物の生育のプロセスをより精度良く評価することが可能となる。即ち、プロ農家と新規就農者の植物状態・環境状態・収穫量・コスト・売上・利益・農薬量・施肥量養液量を相対的に比較し、プロとの差分抽出・分析・改善ポイントの絞り混み・改善方針決めを可視化比較するための業界標準となるテンプレートフォーマットを提供することが可能となる。また、部会・団体内の品質向上・収量拡大・技能強化促進を目的に、植物状態・環境状態・収穫量・コスト・売上・利益・農薬量・施肥量、養液量を各々にグループ内評点基準を設け、評価点によるグループ内腕前ランキングや年度毎の偏差値比較による全体能力状態確認に利用することが可能となる。
【００５８】
更に、本実施形態では、その比較結果から、共有制御機器シーケンス記憶部２１３に記憶された共有されるユーザの共有制御機器シーケンスを、本出願人が前述した特許文献４で開示した制御機器シーケンスの移入、編集機能を用いることにより、個別制御機器シーケンス記憶部２１１に記憶された個別のユーザに対応する制御機器シーケンスの内容に反映させることにより、個別のユーザがより最適な植物の生育管理を容易に行うことが可能となる。
【００５９】
図８は、以上の比較機能を実現するために、データセンタ１００のセンタサーバ１０１内の判定シート生成部２０６の機能に対応する判定シート生成処理の例を示すフローチャートである。この処理は、センタサーバ１０１を構成するＣＰＵ（中央演算処理装置）がメモリに記憶された判定シート生成処理プログラムを実行する動作である（後述する図２０のハードウェア構成を参照）。この処理は、個別のユーザが自身の端末装置１０９の「判定シート」ボタン（図１参照）をクリックすることにより起動される。
【００６０】
まず、個別センサ監視データと個別生長状態監視データが図２のセンタデータベース１０２内の個別監視データ記憶部２１０から読み込まれる（ステップＳ８０１）。
次に、共有センサ監視データと共有生長状態監視データが図２のセンタデータベース１０２内の共有監視データ記憶部２１２から読み込まれる（ステップＳ８０２）。
【００６１】
その後、日単位判定データ作成処理（ステップＳ８０３）、週単位判定データ作成処理（ステップＳ８０４）、月単位判定データ作成処理（ステップＳ８０５）、及びシーズン単位判定データ作成処理（ステップＳ８０６）が順次実行される。
【００６２】
図９は、図８のステップＳ８０３の日単位判定データ作成処理の詳細例を示すフローチャートである。
まず、個別のユーザによって指定された期間内の第１番目の日付が指定される（ステップＳ９０１）。その後、ステップＳ９０９で日付が１日ずつインクリメントされながら、ステップＳ９１０で日付が指定された期間内の最後の日付を超えたと判定されるまで、以下のステップＳ９０２からＳ９０８の一連の処理が繰返し実行される。
【００６３】
更に、ステップＳ９０２からＳ９０８の一連の処理において、まず読み出されている監視データ項目の項目番号（例えば図４のＮＯ＝１番から図７のＮＯ＝６８番）のうち１番目の監視データ項目が指定される（ステップＳ９０２）。その後、ステップＳ９０７で監視データの項目番号が１ずつインクリメントされながら、ステップＳ９０８で監視データの項目番号が指定された読み出されている監視データ項目の最後の項目番号を超えたと判定されるまで、以下のステップＳ９０３からＳ９０６の一連の処理が繰返し実行される。
【００６４】
ステップＳ９０３からＳ９０６の一連の処理において、まず、指定されている日付及び指定されている項目に対応する図８のステップＳ８０２で読み出された共有監視データがガイド値に設定される（ステップＳ９０３）。
【００６５】
次に、指定されている日付及び指定されている項目に対応する図８のステップＳ８０１で読み出された個別監視データが実績値に設定される（ステップＳ９０４）。
次に、指定されている日付及び指定されている項目に対応するステップＳ９０３で設定されたガイド値と、ステップＳ９０４で設定された実績値とが比較されることにより、判定値が算出される（ステップＳ９０５）。この判定値は例えば、ガイド値又はガイド値に一定の係数（例えば０．８など）を乗じた値に対する実績値の達成率（パーセント）である。
【００６６】
そして、ステップＳ９０５で算出された指定されている日付及び指定されている項目に対応する判定値に対応する判定記号が決定される（ステップＳ９０６）。この判定記号は、達成率に応じた○、△、×などの記号、或いは、実績値がガイド値を上回れば上向き矢印、下回れば下向き矢印などの記号である。
【００６７】
以上のステップＳ９０３からＳ９０６の一連の処理が、全ての監視データの項目（ステップＳ９０７とＳ９０８による繰返し処理）、及び全ての日付（ステップＳ９０９とＳ９１０による繰返し処理）に対して実行されることにより、指定された全ての日付及び全ての監視データの項目に対応する日単位判定データが生成される。最後にステップＳ９１０の判定がＹＥＳになると、図９のフローチャートで示される図８のステップＳ８０３の日単位判定データ作成処理が終了する。
【００６８】
図１０は、上述の日単位判定データ作成処理によって作成される日単位判定データの例を示す図である。このデータは、「年月日」で指定される１日分の判定データであり、監視データの項目毎に、ガイド値、実績値、及び判定値（記号とパーセント値）が算出されることがわかる。
【００６９】
図１１は、図８のステップＳ８０４の週単位判定データ作成処理の詳細例を示すフローチャートである。
まず、個別のユーザによって指定された期間内の第１番目の週が指定される（ステップＳ１１０１）。その後、ステップＳ１１０９で週が１週ずつインクリメントされながら、ステップＳ１１１０で週が指定された期間内の最後の週を超えたと判定されるまで、以下のステップＳ１１０２からＳ１１０８の一連の処理が繰返し実行される。
【００７０】
更に、ステップＳ１１０２からＳ１１０８の一連の処理において、まず読み出されている監視データ項目の項目番号（例えば図４のＮＯ＝１番から図７のＮＯ＝６８番）のうち１番目の監視データ項目が指定される（ステップＳ１１０２）。その後、ステップＳ１１０７で監視データの項目番号が１ずつインクリメントされながら、ステップＳ１１０８で監視データの項目番号が指定された読み出されている監視データ項目の最後の項目番号を超えたと判定されるまで、以下のステップＳ１１０３からＳ１１０６の一連の処理が繰返し実行される。
【００７１】
ステップＳ１１０３からＳ１１０６の一連の処理において、まず、指定されている週内の全日付の指定されている項目に対応する図８のステップＳ８０２で読み出された共有監視データの平均値が算出され、その平均値が指定されている週及び指定されている項目に対応するガイド値に設定される（ステップＳ１１０３）。
【００７２】
次に、指定されている週内の全日付の指定されている項目に対応する図８のステップＳ８０１で読み出された個別監視データの平均値が算出され、その平均値が指定されている週及び指定されている項目に対応する実績値に設定される（ステップＳ１１０４）。
【００７３】
次に、指定されている週及び指定されている項目に対応するステップＳ１１０３で設定されたガイド値と、ステップＳ１１０４で設定された実績値とが比較されることにより、判定値が算出される（ステップＳ１１０５）。この判定値は、図９の場合と同様に、例えば、ガイド値又はガイド値に一定の係数（例えば０．８など）を乗じた値に対する実績値の達成率（パーセント）である。
【００７４】
そして、ステップＳ１１０５で算出された指定されている週及び指定されている項目に対応する判定値に対応する判定記号が決定される（ステップＳ１１０６）。この判定記号は、図９の場合と同様に、達成率に応じた○、△、×などの記号、或いは、実績値がガイド値を上回れば上向き矢印、下回れば下向き矢印などの記号である。
【００７５】
以上のステップＳ１１０３からＳ１１０６の一連の処理が、全ての監視データの項目（ステップＳ１１０７とＳ１１０８による繰返し処理）、及び全ての週（ステップＳ１１０９とＳ１１１０による繰返し処理）に対して実行されることにより、指定された全ての週及び全ての監視データの項目に対応する週単位判定データが生成される。最後にステップＳ１１１０の判定がＹＥＳになると、図１１のフローチャートで示される図８のステップＳ８０４の週単位判定データ作成処理が終了する。
【００７６】
図１２は、上述の週単位判定データ作成処理によって作成される週単位判定データの例を示す図である。このデータは、「○年△月□日からの週」で指定される１週分の判定データであり、監視データの項目毎に、ガイド値、実績値、及び判定値（記号とパーセント値）が算出されることがわかる。
【００７７】
図１３は、図８のステップＳ８０５の月単位判定データ作成処理の詳細例を示すフローチャートである。
まず、個別のユーザによって指定された期間内の第１番目の月が指定される（ステップＳ１３０１）。その後、ステップＳ１３０９で月が１月ずつインクリメントされながら、ステップＳ１３１０で月が指定された期間内の最後の月を超えたと判定されるまで、以下のステップＳ１３０２からＳ１３０８の一連の処理が繰返し実行される。
【００７８】
更に、ステップＳ１３０２からＳ１３０８の一連の処理において、まず読み出されている監視データ項目の項目番号（例えば図４のＮＯ＝１番から図７のＮＯ＝６８番）のうち１番目の監視データ項目が指定される（ステップＳ１３０２）。その後、ステップＳ１３０７で監視データの項目番号が１ずつインクリメントされながら、ステップＳ１３０８で監視データの項目番号が指定された読み出されている監視データ項目の最後の項目番号を超えたと判定されるまで、以下のステップＳ１３０３からＳ１３０６の一連の処理が繰返し実行される。
【００７９】
ステップＳ１３０３からＳ１３０６の一連の処理において、まず、指定されている月内の全日付の指定されている項目に対応する図８のステップＳ８０２で読み出された共有監視データの平均値が算出され、その平均値が指定されている月及び指定されている項目に対応するガイド値に設定される（ステップＳ１３０３）。
【００８０】
次に、指定されている月内の全日付の指定されている項目に対応する図８のステップＳ８０１で読み出された個別監視データの平均値が算出され、その平均値が指定されている月及び指定されている項目に対応する実績値に設定される（ステップＳ１３０４）。
【００８１】
次に、指定されている月及び指定されている項目に対応するステップＳ１３０３で設定されたガイド値と、ステップＳ１３０４で設定された実績値とが比較されることにより、判定値が算出される（ステップＳ１３０５）。この判定値は、図９等の場合と同様に、例えば、ガイド値又はガイド値に一定の係数（例えば０．８など）を乗じた値に対する実績値の達成率（パーセント）である。
【００８２】
そして、ステップＳ１３０５で算出された指定されている月及び指定されている項目に対応する判定値に対応する判定記号が決定される（ステップＳ１３０６）。この判定記号は、図９等の場合と同様に、達成率に応じた○、△、×などの記号、或いは、実績値がガイド値を上回れば上向き矢印、下回れば下向き矢印などの記号である。
【００８３】
以上のステップＳ１３０３からＳ１３０６の一連の処理が、全ての監視データの項目（ステップＳ１３０７とＳ１３０８による繰返し処理）、及び全ての月（ステップＳ１３０９とＳ１３１０による繰返し処理）に対して実行されることにより、指定された全ての月及び全ての監視データの項目に対応する月単位判定データが生成される。最後にステップＳ１３１０の判定がＹＥＳになると、図１３のフローチャートで示される図８のステップＳ８０５の月単位判定データ作成処理が終了する。
【００８４】
図１４は、上述の月単位判定データ作成処理によって作成される月単位判定データの例を示す図である。このデータは、「○年□月」で指定される１箇月分の判定データであり、監視データの項目毎に、ガイド値、実績値、及び判定値（記号とパーセント値）が算出されることがわかる。
【００８５】
図１５は、図８のステップＳ８０６のシーズン単位判定データ作成処理の詳細例を示すフローチャートである。
まず、個別のユーザによって指定された期間内の第１番目のシーズンが指定される（ステップＳ１５０１）。その後、ステップＳ１５０９でシーズンが１シーズンずつインクリメントされながら、ステップＳ１５１０でシーズンが指定された期間内の最後のシーズンを超えたと判定されるまで、以下のステップＳ１５０２からＳ１５０８の一連の処理が繰返し実行される。なお、シーズンとしては、例えば「播種日/苗購入日〜」「定植日〜」「開花日〜」「着果日〜」「収穫開始日〜」「収穫完了日〜」という植物の生育に沿ったシーズンが指定される。
【００８６】
更に、ステップＳ１５０２からＳ１５０８の一連の処理において、まず読み出されている監視データ項目の項目番号（例えば図４のＮＯ＝１番から図７のＮＯ＝６８番）のうち１番目の監視データ項目が指定される（ステップＳ１５０２）。その後、ステップＳ１５０７で監視データの項目番号が１ずつインクリメントされながら、ステップＳ１５０８で監視データの項目番号が指定された読み出されている監視データ項目の最後の項目番号を超えたと判定されるまで、以下のステップＳ１５０３からＳ１５０６の一連の処理が繰返し実行される。
【００８７】
ステップＳ１５０３からＳ１５０６の一連の処理において、まず、指定されているシーズン内の全日付の指定されている項目に対応する図８のステップＳ８０２で読み出された共有監視データの平均値が算出され、その平均値が指定されているシーズン及び指定されている項目に対応するガイド値に設定される（ステップＳ１５０３）。
【００８８】
次に、指定されているシーズン内の全日付の指定されている項目に対応する図８のステップＳ８０１で読み出された個別監視データの平均値が算出され、その平均値が指定されているシーズン及び指定されている項目に対応する実績値に設定される（ステップＳ１５０４）。
【００８９】
次に、指定されているシーズン及び指定されている項目に対応するステップＳ１５０３で設定されたガイド値と、ステップＳ１５０４で設定された実績値とが比較されることにより、判定値が算出される（ステップＳ１５０５）。この判定値は、図９の場合と同様に、例えば、ガイド値又はガイド値に一定の係数（例えば０．８など）を乗じた値に対する実績値の達成率（パーセント）である。
【００９０】
そして、ステップＳ１５０５で算出された指定されているシーズン及び指定されている項目に対応する判定値に対応する判定記号が決定される（ステップＳ１５０６）。この判定記号は、図９の場合と同様に、達成率に応じた○、△、×などの記号、或いは、実績値がガイド値を上回れば上向き矢印、下回れば下向き矢印などの記号である。
【００９１】
以上のステップＳ１５０３からＳ１５０６の一連の処理が、全ての監視データの項目（ステップＳ１５０７とＳ１５０８による繰返し処理）、及び全てのシーズン（ステップＳ１５０９とＳ１５１０による繰返し処理）に対して実行されることにより、指定された全てのシーズン及び全ての監視データの項目に対応するシーズン単位判定データが生成される。最後にステップＳ１５１０の判定がＹＥＳになると、図１５のフローチャートで示される図８のステップＳ８０６のシーズン単位判定データ作成処理が終了する。
【００９２】
図１６は、上述のシーズン単位判定データ作成処理によって作成されるシーズン単位判定データの例を示す図である。このデータは、「ステージ」で指定される１シーズン分の判定データであり、監視データの項目毎に、ガイド値、実績値、及び判定値（記号とパーセント値）が算出されることがわかる。
【００９３】
図８の説明に戻り、ステップＳ８０３からＳ８０６の一連の処理により、日単位、週単位、月、及びシーズン単位の判定データが作成さると、それらのデータに基づいて各種グラフや集計表によって表現される判定シートが生成される（ステップＳ８０７）。
【００９４】
そして、ステップＳ８０７で生成された判定シートの表示データが、センタサーバ１０１からインターネット通信部２０３（図２参照）を介して端末装置１０９（図１参照）に送信される。端末装置１０９の判定シート表示部３０４（図３）のプログラムは、判定シートの表示データを受信すると、その判定シートをディスプレイに表示する。
【００９５】
図１７は、判定シートの表示例、図１８は、図１７の表示例における全体比較グラフ及びセンサ比較グラフの詳細例、図１９は、図１７の表示例における生長実績、収穫実績、潅水実績、及び判定の詳細例を示す図である。
【００９６】
まず、１７０１のエリアには、例えば５２週分の所定の複数の監視データ項目についての上述の判定値の複数の折れ線グラフが示され、これにより個別のユーザの植物の生育過程の評価が一目瞭然で理解できる。これと合わせて、このエリアには、例えばシーズン毎に、所定の方式で演算した評価結果が○、△、×等の記号で示され、個別のユーザに対応するシーズン毎の植物の生育が適切であったか否かを視覚的に判定することが可能となる。なお、図１７の各部において四角で囲まれた欄に表示される「４０」等の数値は、各項目の上記の判定値の平均値であり、得点がパーセント表示されている。また、図１７の「判定」の部分において四角で囲まれた欄に表示される「Ｂ」の評価は、判定シート内の、５２週比較、成長バランス比較、収穫実績比較、成長実績比較、灌水実績比較、センサー比較の集計を行い、全体判定結果として表示されるものであり、例えば、Ｓ、Ａ、Ｂ、Ｃの中から集計結果に基づいて決定される評価である。
【００９７】
また、１７０２のエリアには、マイスターと比較した場合の個別のユーザのバランスシートがグラフ表示される。このバランスシートは、マイスター及び個別のユーザの生殖・成長のバランス、例えば、季節ごとに、茎の直径や花房の高さなどの関係を時系列で表したものであり、マイスターの値から得られる「ターゲット」との違いをユーザが視覚的に判定することが可能となる。
【００９８】
更に、図１８で示される（ａ）全体比較グラフ及び（ｂ）センサ比較グラフにより、個別のユーザが施設のどの部分、又はどのセンサ項目に対応する制御機器の制御を改善すればよいかを、視覚的に判断することが可能となる。なお、図１８で示されるグラフは、図１７で示されるグラフとは値が異なるが、同一のグラフである。
【００９９】
加えて、図１９で示される生長実績、収穫実績、潅水実績、及び判定の各表により、具体的に改善すべき項目を確認することが可能となる。図１９で示される表についても、図１７で示される表とは値や値の有無で異なるが、同一の表である。
【０１００】
以上の判定シートの表示動作により、個別のユーザ自身のセンサ出力や制御機器シーケンスを、マイスターのセンサ出力や制御機器シーケンスと比較することで、違いや問題点を可視化することが可能となり、より効率的に圃場であるハウス１０３の状態を管理することが可能となる。
【０１０１】
この判定シートは、端末装置１０９の印刷機能を使って印刷物として保管することも可能となり、数値による「圃場の見える化」が容易となる。
更に、膨大な詳細データを共有することなく、集計結果を蓄積することで共有したときに問題点の発見と自身の営農ノウハウの違いを、数値をベースに俯瞰して確認することが可能となる。
【０１０２】
なお、判定シートだけでなく、図１０、図１２、図１４、及び図１６に例示した日、週、月、及びシーズン単位の判定データが端末装置１０９に送信されてそのディスプレイに表示されるようにしてもよい。
【０１０３】
なお、以上の判定データ及び判定シートは、センタサーバ１０１の判定シート生成部２０６の機能によって生成されるが、これに限られるものではなく、センタサーバ１０１から端末装置１０９に個別センサ監視データ、個別生長状態監視データ、共有センサ監視データ、及び共有生長状態監視データが一括してダウンロードされ、端末装置１０９が内蔵するスプレッドシートのプログラムが、図８、図９、図１１、図１３、図１５のデータ作成と、図１７の判定シートの表示を行ってもよい。
【０１０４】
図２０は、本実施形態による図２のブロック図で示されるデータセンタ１００のシステムを実現可能なハードウェアシステムの構成図である。
図２０に示されるコンピュータは、ＣＰＵ２００１、メモリ２００２、入力装置２００３、出力装置２００４、外部記憶装置２００５、可搬記録媒体２００９が挿入される可搬記録媒体駆動装置２００６、及び通信インタフェース２００７を有し、これらがバス２００８によって相互に接続された構成を有する。同図に示される構成は上記システムを実現できるコンピュータの一例であり、そのようなコンピュータはこの構成に限定されるものではない。
【０１０５】
ＣＰＵ２００１は、当該コンピュータ全体の制御を行う。メモリ２００２は、プログラムの実行、データ更新等の際に、外部記憶装置２００５（或いは可搬記録媒体２００９）に記憶されているプログラム又はデータを一時的に格納するＲＡＭ等のメモリである。ＣＰＵ２００１は、プログラムをメモリ２００２に読み出して実行することにより、全体の制御を行う。
【０１０６】
入出力装置２００３は、ユーザによるキーボードやマウス等による入力操作を検出し、その検出結果をＣＰＵ２００１に通知し、ＣＰＵ２００１の制御によって送られてくるデータを表示装置や印刷装置に出力する。
【０１０７】
外部記憶装置２００５は、例えばハードディスク記憶装置である。主に各種データやプログラムの保存に用いられる。
可搬記録媒体駆動装置２００６は、光ディスクやＳＤＲＡＭ、コンパクトフラッシュ等の可搬記録媒体２００９を収容するもので、外部記憶装置２００５の補助の役割を有する。
【０１０８】
通信インタフェース２００７は、例えばＬＡＮ（ローカルエリアネットワーク）又はＷＡＮ（ワイドエリアネットワーク）の通信回線を接続するための装置である。これらのネットワークは、図１の携帯電話回線１１３、インターネット１１４、インターネット又は専用線ネットワーク１１５に対応する。
【０１０９】
本実施形態によるシステムは、図２のブロック図と、図８、図９、図１１、図１３、図１５のフローチャート等で実現される機能を搭載したプログラムをＣＰＵ２００１が実行することで実現される。そのプログラムは、例えば外部記憶装置２００５や可搬記録媒体２００９に記録して配布してもよく、或いは通信インタフェース２００７によりネットワークから取得できるようにしてもよい。
【０１１０】
以上説明した実施形態により、ユーザが栽培する植物の生育における生長の状態を農用機器の制御と関連付けて管理することができ、かつユーザ自身の育成環境とマイスター等の他の育成環境との更に精度のよい比較を行うことのできる判定シートの提供が可能となり、判定シートを検討することにより、マイスター等の他の育成環境での制御シーケンスをユーザ自身の制御機器の制御シーケンスへ最適な状態で取り込むことが可能となる。
【０１１１】
即ち、農産物栽培環境では難易度が高かったＰＤＣＡ管理（Ｐ＝差分の洗い出し、Ｄ＝差分の比較、Ｃ＝改善ポイントの絞り混み、Ａ＝改善方針決め）の容易化を図ることが可能となり、栽培経験が豊富なプロ農家と新規就農者の比較、短期間での収量拡大と品質の安定化、プロ品質の短期実現等が達成される。また、プロ圃場環境の空気質濃度や環境・植物状態に近づけるために、温度、湿度、ＣＯ2 、照度、地温、土壌水分、飽差値をコントロールするための、圃場内制御機器（天窓・側窓・カーテン・暖房機・冷房機・加湿器・除湿器・ミスト・循環扇・その他）の自動制御が達成され、エネルギーコストの評価等も可能となる。
【符号の説明】
【０１１２】
１００  データセンタ
１０１  センタサーバ
１０２  センタデータベース
１０３  ハウス（圃場）
１０４  センサ制御装置
１０５  制御盤装置
１０６  環境センサ
１０７  ハウスカオンキ
１０８  制御機器
１０９  端末装置
１１０  カメラ
１１１  マイク
１１３  携帯電話回線
１１４  インターネット
１１５  インターネット／専用線ネットワーク
２０１  センサ監視データ受信部
２０２  制御機器シーケンス送信部
２０３  インターネット通信部
２０４  生長状態監視データ生成部
２０５  収穫／収益データ受信部
２０６  判定シート生成部
２０７  制御機器シーケンス移入部
２０８  制御機器シーケンスダウンロード部
２０９  制御機器シーケンスアップロード部
２１０  個別監視データ記憶部
２１１  個別制御機器シーケンス記憶部
２１２  共有監視データ記憶部
２１３  共有制御機器シーケンス記憶部
３０１  生長状態記録部
３０２  ハウスカオンキ情報表示部
３０３  環境センサ情報表示部
３０４  判定シート表示部
３０５  制御機器シーケンス移入指示部
３０６  制御機器シーケンス編集部
【図１】
2017163955.tif 000003
【図２】
2017163955.tif 000004
【図３】
2017163955.tif 000005
【図４】
2017163955.tif 000006
【図５】
2017163955.tif 000007
【図６】
2017163955.tif 000008
【図７】
2017163955.tif 000009
【図８】
2017163955.tif 000010
【図９】
2017163955.tif 000011
【図１０】
2017163955.tif 000012
【図１１】
2017163955.tif 000013
【図１２】
2017163955.tif 000014
【図１３】
2017163955.tif 000015
【図１４】
2017163955.tif 000016
【図１５】
2017163955.tif 000017
【図１６】
2017163955.tif 000018
【図１７】
2017163955.tif 000019
【図１８】
2017163955.tif 000020
【図１９】
2017163955.tif 000021
【図２０】
2017163955.tif 000022